(57)【要約】【課題】建物内に室外空気導入するタイプの換気装置において、捕集部の塵埃の蓄積による換気風量の減少を低減し、清掃等のメンテナンス頻度を低減することができることを目的とする。【解決手段】本体１の内部に、室外空気導入口１２と室内給気口１７とを給気ファン部４を介して連通した給気流路と、室内空気吸入口と室外排気口とを排気ファン部７を介して連通した排気流路を形成し、給気流路のうち室外空気導入口１２と給気ファン部４との間に形成される室外空気導入口側給気流路部２０と略同形状の捕集部２１を設けた構成とすることにより、捕集部２１の室外空気２７の通過する面積を拡大することができて塵埃等の塵埃による換気風量の減少を低減することができるとともに、塵埃等の捕集効率を向上することができる。【選択図】図１
2006349222.tif 000002
【特許請求の範囲】
【請求項１】
本体の内部に給気ファン部と排気ファン部を設け、前記本体の第一側面には室外空気導入口と室外排気口、対向する第二側面には室内給気口、底面には室内空気吸入口を形成し、前記室外空気導入口と前記室内給気口とを前記給気ファン部を介して連通した給気流路と、前記室内空気吸入口と前記室外排気口とを前記排気ファン部を介して連通した排気流路を形成し、室外から進入してくる異物の捕集部を前記給気流路のうち前記室外空気導入口と前記給気ファン部との間に形成される室外空気導入口側給気流路部と略同形状として設けたことを特徴とする換気装置。
【請求項２】
給気ファン部および排気ファン部と、室内空気吸入口および室内給気口との間に熱交換素子を設け、捕集部を前記熱交換素子と給気ファン部との間に形成される熱交換素子側給気流路部と略同形状として設けたことを特徴とする請求項１記載の換気装置。
【請求項３】
捕集部を粗塵フィルターとしたことを特徴とする請求項１または２に記載の換気装置。
【請求項４】
捕集部を給気ファン部の給気ケーシングの外形形状に合わせたことを特徴とする請求項１〜３のいずれかに記載の換気装置。
【請求項５】
捕集部を上面から底面にかけて傾斜させたことを特徴とする請求項１〜４のいずれかに記載の換気装置。
【請求項６】
捕集部と給気ファン部の外周面との間に隙間を設けたことを特徴とする請求項４または５に記載の換気装置。
【請求項７】
本体に捕集部の挿入溝を、前記捕集部には前記挿入溝に嵌合する取付用壁を設けたことを特徴とする請求項１〜５いずれか記載の換気装置。
【請求項８】
捕集部を本体の底面から直接着脱を可能とした請求項７記載の換気装置。
【請求項９】
捕集部を本体から取り外す際捕集した虫や粗塵等が落下するのを防ぐ落下防止壁を設けたことを特徴とする１〜５，７，８のいずれかに記載の換気装置。
【請求項１０】
捕集部の底面に断熱材を設けたことを特徴とする請求項１〜５，７〜９いずれか記載の換気装置。
【発明の詳細な説明】
【技術分野】
【０００１】
本発明は、建物内に室外空気導入をするタイプの換気装置に関する。
【背景技術】
【０００２】
従来、この種の換気装置は、特許文献１に記載されたものが知られている。
【０００３】
以下、その換気装置について図６を参照しながら説明する。
【０００４】
図に示すように、本体１０１の内部に給気ファン部１０２と排気ファン部１０３を設け、本体１０１の第一側面１０４には室外空気導入口１０５、対向する第二側面１０６には室内給気口１０７と室外排気口１０８、底面には室内空気吸入口１０９を形成し、給気ファン部１０２と排気ファン部１０３と、室内空気吸入口１０９と室外空気導入口１０５との間に熱交換器１１０を配設し、室外空気導入口１０５と室内給気口１０７とを熱交換器１１０と給気ファン部１０２を介して連通した給気流路と、室内空気吸入口１０９と室外排気口１０８とを熱交換器１１０と排気ファン部１０３を介して連通した排気流路を形成し、室外空気導入口１０５内にネット１１１が設けられた室外から進入してくる虫や塵埃等を捕集する捕集部１１２が配設されている。
【特許文献１】特開平１１−３２５５３５号公報
【発明の開示】
【発明が解決しようとする課題】
【０００５】
このような従来の換気装置では、室外空気導入口より導入される室外空気に含まれる塵埃等が捕集部のネットに蓄積し、その結果、室外空気の通過面積が減少してきて換気風量が低下し、捕集部の交換や清掃によるメンテナンス頻度が多くなるという課題があった。
【０００６】
本発明は、このような従来の課題を解決するものであり、捕集部の塵埃等の蓄積による換気風量の減少を低減し、清掃等のメンテナンス頻度を低減することができる換気装置を提供することを目的としている。
【課題を解決するための手段】
【０００７】
本発明の換気装置は上記目的を達成するために、本体の内部に給気ファン部と排気ファン部を設け、前記本体の第一側面には室外空気導入口と室外排気口、対向する第二側面には室内給気口、底面には室内空気吸入口を形成し、前記室外空気導入口と前記室内給気口とを前記給気ファン部を介して連通した給気流路と、前記室内空気吸入口と前記室外排気口とを前記排気ファン部を介して連通した排気流路を形成し、室外から進入してくる異物の捕集部を前記給気流路のうち前記室外空気導入口と前記給気ファン部との間に形成される室外空気導入口側給気流路部と略同形状として設けたものである。
【０００８】
この手段により、捕集部の室外空気の通過する面積を拡大することができて塵埃等の蓄積による換気風量の減少を低減することができるとともに、塵埃等の捕集効率を向上することができる換気装置が得られる。
【０００９】
また他の手段は、給気ファン部および排気ファン部と、室内空気吸入口および室内給気口との間に熱交換素子を設け、捕集部を前記熱交換素子と給気ファン部との間に形成される熱交換素子側給気流路部と略同形状として捕集部を設けたものである。
【００１０】
この手段により、熱交換素子の前で異物を捕集する捕集部の室外空気の通過する面積を拡大することができ、塵埃等の捕集効率を向上することができる換気装置が得られる。
【００１１】
また他の手段は、捕集部を粗塵フィルターとしたものである。
【００１２】
この手段により、粗い塵埃等のみを補足でき、換気風量の減少を低減することができる換気装置が得られる。
【００１３】
また他の手段は、捕集部を給気ファン部の給気ケーシングの外形形状に合わせたものである。
【００１４】
この手段により、最大限捕集部の室外空気の通過する面積を拡大することができて塵埃等の塵埃による換気風量の減少を低減することができるとともに、塵埃等の捕集効率を向上することができる換気装置が得られる。
【００１５】
また他の手段は、捕集部を上面から底面にかけて傾斜させたものである。
【００１６】
この手段により、室外空気の塵埃等が捕集部にあたり落下しやすくでき、捕集部の詰まり等による換気風量の減少を低減し、清掃等のメンテナンス頻度を低減することができる換気装置が得られる。
【００１７】
また他の手段は、捕集部と給気ファン部の外周面との間に隙間を設けたものである。
【００１８】
この手段により、捕集部を通過する室外空気は前記捕集部の全面を通過することができ、塵埃等の捕集効率を向上することができる換気装置が得られる。
【００１９】
また他の手段は、本体に捕集部の挿入溝を、前記捕集部には前記挿入溝に嵌合する取付用壁を設けたものである。
【００２０】
この手段により、捕集部を本体に密接に嵌合することができ、前記捕集部の気密性を向上することができる換気装置が得られる。
【００２１】
また他の手段は、捕集部を本体の底面から直接着脱を可能としたものである。
【００２２】
この手段により、天井に設置している状態で換気装置の底面から直接捕集部の取り外しおよび取り付けができ、清掃等のメンテナンス作業を容易にすることができる換気装置が得られる。
【００２３】
また他の手段は、捕集部を本体から取り外す際捕集した虫や粗塵等が落下するのを防ぐ落下防止壁を設けたものである。
【００２４】
この手段により、捕集部を本体から取り外す際捕集した虫や粗塵等が落下するのを防ぐことができ、清掃等のメンテナンス作業を容易にすることができる換気装置が得られる。
【００２５】
また他の手段は、捕集部の底面に断熱材を設けたものである。
【００２６】
この手段により、捕集部の結露を防止し、前記捕集部の底面から水が滴り落ちることを防ぐことができる換気装置が得られる。
【発明の効果】
【００２７】
本発明によれば、捕集部を給気流路のうち室外空気導入口と給気ファン部との間に形成される室外空気導入口側給気流路部と略同形状として設けたことで、捕集部の室外空気の通過する面積を拡大することができて塵埃等の蓄積による換気風量の減少を低減することができるとともに、塵埃等の捕集効率を向上することができる効果のある換気装置を提供できる。
【００２８】
また、熱交換素子と給気ファン部との間に形成される熱交換素子側給気流路部と略同形状の捕集部を設けたことで、熱交換素子の前で異物を捕集する捕集部の室外空気の通過する面積を拡大することができ、塵埃等の捕集効率を向上することができる効果のある換気装置を提供できる。
【００２９】
また、フィルターを粗塵フィルターとすることで、粗い塵埃等のみを補足でき、換気風量の減少を低減することができる効果のある換気装置を提供できる。
【００３０】
また、捕集部を給気ファン部の給気ケーシングの外形形状に合わせたので、最大限捕集部の室外空気の通過する面積を拡大することができて塵埃等の塵埃による換気風量の減少を低減することができるとともに、塵埃等の捕集効率を向上することができる効果のある換気装置を提供できる。
【００３１】
また、捕集部を上面から底面にかけて傾斜させたので、室外空気の塵埃等が捕集部にあたり落下しやすくでき、捕集部の詰まり等による換気風量の減少を低減し、清掃等のメンテナンス頻度を低減することができる効果のある換気装置を提供できる。
【００３２】
また、捕集部と給気ファン部の外周面との間に隙間を設けたので、捕集部を通過する室外空気は前記捕集部の全面を通過することができ、塵埃等の捕集効率を向上することができる効果のある換気装置を提供できる。
【００３３】
また、本体に捕集部の挿入溝を、前記捕集部には前記挿入溝に嵌合する取付用壁を設けたので、捕集部を本体に密接に嵌合することができ、前記捕集部の気密性を向上することができる効果のある換気装置を提供できる。
【００３４】
また、捕集部を本体の底面から直接着脱を可能としたので、天井に設置している状態で換気装置の底面から直接捕集部の取り外しおよび取り付けができ、清掃等のメンテナンス作業を容易にすることができる効果のある換気装置を提供できる。
【００３５】
また、捕集部を本体から取り外す際捕集した虫や粗塵等が落下するのを防ぐ落下防止壁を設けたので、捕集部を本体から取り外す際捕集した虫や粗塵等が落下するのを防ぐことができ、清掃等のメンテナンス作業を容易にすることができる効果のある換気装置を提供できる。
【００３６】
また、捕集部の底面に断熱材を設けたので、捕集部の結露を防止し、捕集部の底面から水が滴り落ちることを防ぐことができる効果のある換気装置を提供できる。
【発明を実施するための最良の形態】
【００３７】
本発明の請求項１記載の換気装置は、本体の内部に給気ファン部と排気ファン部を設け、前記本体の第一側面には室外空気導入口と室外排気口、対向する第二側面には室内給気口、底面には室内空気吸入口を形成し、前記室外空気導入口と前記室内給気口とを前記給気ファン部を介して連通した給気流路と、前記室内空気吸入口と前記室外排気口とを前記排気ファン部を介して連通した排気流路を形成し、室外から進入してくる異物の捕集部を前記給気流路のうち前記室外空気導入口と前記給気ファン部との間に形成される室外空気導入口側給気流路部と略同形状として設けたものであり、捕集部の室外空気の通過する面積を拡大することができて塵埃等の蓄積による換気風量の減少を低減することができるとともに、塵埃等の捕集効率を向上することができるという作用を有する。
【００３８】
また本発明の請求項２記載の換気装置は、給気ファン部および排気ファン部と、室内空気吸入口および室内給気口との間に熱交換素子を設け、捕集部を前記熱交換素子と給気ファン部との間に形成される熱交換素子側給気流路部と略同形状として設けたものであり、熱交換素子の前で異物を捕集する捕集部の室外空気の通過する面積を拡大することができ、塵埃等の捕集効率を向上することができるという作用を有する。
【００３９】
また本発明の請求項３記載の換気装置は、捕集部を粗塵フィルターとしたものであり、粗い塵埃等のみを補足でき、換気風量の減少を低減することができるという作用を有する。
【００４０】
また本発明の請求項４記載の換気装置は、捕集部を給気ファン部の給気ケーシングの外形形状に合わせたものであり、最大限捕集部の室外空気の通過する面積を拡大することができて塵埃等の塵埃による換気風量の減少を低減することができるとともに、塵埃等の捕集効率を向上することができるという作用を有する。
【００４１】
また本発明の請求項５記載の換気装置は、捕集部を上面から底面にかけて傾斜させたものであり、室外空気の塵埃等が捕集部にあたり落下しやすくでき、捕集部の詰まり等による換気風量の減少を低減し、清掃等のメンテナンス頻度を低減することができるという作用を有する。
【００４２】
また本発明の請求項６記載の換気装置は、捕集部と給気ファン部の外周面との間に隙間を設けたものであり、捕集部を通過する室外空気は前記捕集部の全面を通過することができ、塵埃等の捕集効率を向上することができるという作用を有する。
【００４３】
また本発明の請求項７記載の換気装置は、本体に捕集部の挿入溝を、前記捕集部には前記挿入溝に嵌合する取付用壁を設けたものであり、捕集部を本体に密接に嵌合することができ、前記捕集部の気密性を向上することができるという作用を有する。
【００４４】
また本発明の請求項８記載の換気装置は、捕集部を本体の底面から直接着脱を可能としたものであり、天井に設置している状態で換気装置の底面から直接捕集部の取り外しおよび取り付けができ、清掃等のメンテナンス作業を容易にすることができるという作用を有する。
【００４５】
また本発明の請求項９記載の換気装置は、捕集部を本体から取り外す際捕集した虫や粗塵等が落下するのを防ぐ落下防止壁を設けたものであり、捕集部を本体から取り外す際捕集した虫や粗塵等が落下するのを防ぐことができ、清掃等のメンテナンス作業を容易にすることができるという作用を有する。
【００４６】
また本発明の請求項１０記載の換気装置は、捕集部の底面に断熱材を設けたものであり、捕集部の結露を防止し、捕集部の底面から水が滴り落ちることを防ぐことができるという作用を有する。
【００４７】
以下、本発明の実施の形態について図面を参照しながら説明する。
【００４８】
（実施の形態１）
図１〜４に示すように、本体１の内部には、遠心ファン（シロッコファン等）等の給気ファン２と給気ケーシング３とからなる給気ファン部４と、排気ファン５と排気ケーシング６とからなる排気ファン部７を設ける。給気ファン部４と排気ファン部７は、仕切り板８により上下空間に仕切られており、仕切り板８の上部に排気ファン部７を形成し、仕切り板８の下部に給気ファン部４を形成している。仕切り板８にはモーター９が配設され、給気ファン２と排気ファン５を同一モーター９により共に駆動している。モーター９駆動方式は、直流（ＤＣ）方式、交流（ＡＣ）方式どちらでもよい。本体１の第一側面１０には室外空気導入用ダクト接続部１１を有する室外空気導入口１２と室外排気用ダクト接続部１３を有する室外排気口１４、対向する第二側面１５には室内給気用ダクト接続部１６を有する室内給気口１７、底面１８には室内空気吸入口１９を形成し、室外空気導入口１２と室内給気口１７とを給気ファン部４を介して連通した給気流路と、室内空気吸入口１９と室外排気口１４とを排気ファン部７を介して連通した排気流路を形成し、給気流路のうち室外空気導入口１２と給気ファン部４との間に形成される室外空気導入口側給気流路部２０と略同形状の捕集部２１を設ける。捕集部２１は室外から進入してくる大きなごみや虫等を捕集するために、粗塵フィルター２２で構成され、給気ファン部４の給気ケーシング３の外形形状に合わせ、上面から底面にかけて傾斜させた形状になっている。粗塵フィルター２２は、大きなごみや虫等が通らないものなら材質、穴径等はなんでもよい。また、捕集部２１には、底面付近に落下防止壁２３、底面には断熱材２４が設けられている。断熱材２４は、底面自体を断熱材２４で形成しても、また、底面に断熱材２４を貼付してもよく、また、材質に関しは、繊維系断熱材（代表格：ガラス繊維を使用した断熱材（グラスウール））でも発泡材料系断熱材（軽石、海綿、コルクなど）でも、断熱効果のあるものならどんなものでもよい。本体１には、捕集部２１の挿入溝２５を、捕集部２１には挿入溝２５に嵌合する取付用壁２６を設け、嵌合した際捕集部２１と給気ファン部４との間に隙間が生じるようになっている。室外空気２７は、室外空気導入用ダクト接続部１１を介し、室外空気導入口１２から捕集部２１を通って給気ファン２と給気ケーシング３とからなる給気ファン部４に取り込まれ、室内給気口１７から室内給気用ダクト接続部１６を介して、住宅の所望の箇所に新鮮な空気が供給される。一方、室内空気２８は、本体１の底面１８に位置する室内空気吸込口１９から排気ファン５と排気ケーシング６とからなる排気ファン部７に取り込まれ、室外排気口１４から室外排気用ダクト接続部１３を介して、住宅外に排気される。
【００４９】
上記構成において、捕集部２１を給気流路のうち室外空気導入口１２と給気ファン部４との間に形成される室外空気導入口側給気流路部２０と略同形状として設けたことにより、捕集部２１の室外空気２７の通過する面積を拡大することができて塵埃等の蓄積による換気風量の減少を低減し、塵埃等の捕集効率を向上することができる、捕集部２１の構成にあって、捕集部２１を粗塵フィルター２２としたことにより、粗い塵埃等のみを補足し、換気風量の減少を低減することができ、かつ、捕集部２１を給気ファン部４の給気ケーシング３の外形形状に合わせたことにより、最大限捕集部２１の室外空気２７の通過する面積を拡大することができて塵埃等の塵埃による換気風量の減少を低減し、塵埃等の捕集効率を向上することができ、かつ、捕集部２１を上面から底面にかけて傾斜させたことにより、室外空気２７の塵埃等が捕集部２１にあたり落下しやすくし、捕集部２１の詰まり等による換気風量の減少を低減して、清掃等のメンテナンス頻度を低減することができ、かつ、捕集部２１を本体１の底面から直接着脱を可能としたことにより、天井に設置している状態で換気装置の底面１８から直接捕集部２１の取り外しおよび取り付けし、清掃等のメンテナンス作業を容易にすることができ、かつ、捕集部２１を本体１から取り外す際捕集した虫や粗塵等が落下するのを防ぐ落下防止壁２３を設けたことにより、捕集部２１を本体１から取り外す際捕集した虫や粗塵等が落下するのを防げ、清掃等のメンテナンス作業を容易にすることができ、かつ、捕集部２１の底面に断熱材２４を設けたことにより、捕集部２１の結露を防止し、捕集部２１の底面から水が滴り落ちることを防ぐことができ捕集部２１と給気ファン部４の外周面との間に隙間を設けたことにより、捕集部２１を通過する室外空気２７は捕集部２１の全面を通過し、塵埃等の捕集効率を向上することができ、本体１に捕集部２１の挿入溝２５を、捕集部２１には挿入溝２５に嵌合する取付用壁２６を設けたことにより、捕集部２１を本体１に密接に嵌合し、捕集部２１の気密性を向上することができる。
【００５０】
（実施の形態２）
図５に示すように、実施の形態２は実施の形態１とほぼ同等の構成を有し、実施の形態１と同一構成要素については同一番号を付し詳細な説明は省略する。給気ファン部４および排気ファン部７と、室内空気吸入口１９および室内給気口１７との間に熱交換素子２９を設け、熱交換素子２９と給気ファン部４との間に形成される熱交換素子側給気流路部３０と略同形状の捕集部２１Ａを設ける。室外空気２７は、室外空気導入用ダクト接続部１１を介し、室外空気導入口１２から給気ファン２と給気ケーシング３とからなる給気ファン部４に取り込まれて、捕集部２１Ａと熱交換素子２９を通って、室内給気口１７から室内給気用ダクト接続部１６を介して、住宅の所望の箇所に新鮮な空気が供給される。一方、室内空気２８は、本体１の底面に位置する室内空気吸込口１９から熱交換素子２９を通って排気ファン５と排気ケーシング６とからなる排気ファン部７に取り込まれ、室外排気口１４から室外排気用ダクト接続部１３を介して、住宅外に排気される。
【００５１】
上記構成において、熱交換素子２９と給気ファン部４との間に形成される熱交換素子側給気流路部３０と略同形状の捕集部２１Ａを設けたことにより、熱交換素子２９の前で異物を捕集する捕集部２１Ａの室外空気２７の通過する面積を拡大することができ、塵埃等の捕集効率を向上することができる。
【産業上の利用可能性】
【００５２】
本発明にかかる換気装置は、捕集部を給気流路のうち室外空気導入口と給気ファン部との間に形成される室外空気導入口側給気流路部と略同形状として設けたことで、捕集部の室外空気の通過する面積を拡大することができて塵埃等の塵埃による換気風量の減少を低減することができるとともに、塵埃等の捕集効率を向上することができることを有し、建物内に外気空気導入するタイプの換気装置として有用である。
【図面の簡単な説明】
【００５３】
【図１】本発明の実施の形態１の換気装置の断面図
【図２】同換気装置の底面図
【図３】同換気装置の捕集部の斜視図
【図４】同換気装置の一部破断底面図
【図５】本発明の実施の形態２の換気装置の断面図
【図６】従来の換気装置の断面図
【符号の説明】
【００５４】
１      本体
３      給気ケーシング
４      給気ファン部
７      排気ファン部
１０    第一側面
１２    室外空気導入口
１４    室外排気口
１５    第二側面
１７    室内給気口
１８    底面
１９    室内空気吸入口
２０    室外空気導入口側給気流路部
２１    捕集部
２１Ａ  捕集部
２２    粗塵フィルター
２３    落下防止壁
２４    断熱材
２５    挿入溝
２６    取付用壁
２９    熱交換素子
３０    熱交換素子側給気流路部
【図１】
2006349222.tif 000003
【図２】
2006349222.tif 000004
【図３】
2006349222.tif 000005
【図４】
2006349222.tif 000006
【図５】
2006349222.tif 000007
【図６】
2006349222.tif 000008